(57)【要約】【課題】汚れた食器等に洗浄剤を接触させた後、外力を加えずに放置して洗浄するような態様でも優れた洗浄力が得られる食器及び／又は台所周りの硬質物品の洗浄方法、並びにこのような効果を有すると共に保存安定性にも優れた泡塗布用液体洗浄剤組成物を提供する。【解決手段】（ａ）界面活性剤〔以下、（ａ）成分という〕を０．５質量％以上１１質量％以下、（ｂ）酵素〔以下、（ｂ）成分という〕を酵素たんぱく質として０．１ｐｐｍ以上１０００ｐｐｍ以下、（ｃ）水溶性溶剤〔以下、（ｃ）成分という〕及び水を含有し、（ａ）成分として（ａ１）非イオン界面活性剤〔以下、（ａ１）成分という〕を含有し、（ａ）成分の含有量と（ａ１）成分の含有量との質量比である（ａ１）／（ａ）が０．５以上１．０以下である泡塗布用液体洗浄剤組成物。この組成物を、泡比容が２ｍＬ／ｇ以上の泡の状態で、食品に由来する液体油を含有する汚れが付着した食器及び／又は台所周りの硬質物品に接触させる。【選択図】なし【特許請求の範囲】
【請求項１】
（ａ）界面活性剤〔以下、（ａ）成分という〕を０．５質量％以上１１質量％以下、（ｂ）酵素〔以下、（ｂ）成分という〕を酵素たんぱく質として０．１ｐｐｍ以上１０００ｐｐｍ以下、（ｃ）水溶性溶剤〔以下、（ｃ）成分という〕及び水を含有し、（ａ）成分として（ａ１）非イオン界面活性剤〔以下、（ａ１）成分という〕を含有し、（ａ）成分の含有量と（ａ１）成分の含有量との質量比である（ａ１）／（ａ）が０．５以上１．０以下である液体洗浄剤組成物を、泡比容が２ｍＬ／ｇ以上の泡の状態で、食品に由来する液体油を含有する汚れが付着した食器及び／又は台所周りの硬質物品に接触させる、食器及び／又は台所周りの硬質物品の洗浄方法。
【請求項２】
（ａ１）成分が、（ａ１−１）アルキル基の炭素数が８以上１８以下であるアルキルグリコシド型非イオン界面活性剤〔以下、（ａ１−１）成分という〕を含む、請求項１記載の食器及び／又は台所周りの硬質物品の洗浄方法。
【請求項３】
（ａ１）成分が、（ａ１−２）窒素原子に結合する基のうち１つが炭素数８以上１８以下のアルキル基であり、残りが炭素数１以上３以下のアルキル基である３級アミンオキシド型界面活性剤〔以下、（ａ１−２）成分という〕を含む、請求項１又は２記載の食器及び／又は台所周りの硬質物品の洗浄方法。
【請求項４】
（ａ１）成分が、（ａ１−３）アルキル基の炭素数が９以上１８以下の分岐脂肪アルコール又は２級脂肪アルコールに炭素数２又は３のアルキレンオキサイドを平均３モル以上３０モル以下付加させた非イオン界面活性剤〔以下、（ａ１−３）成分という〕を含む、請求項１〜３の何れか１項記載の食器及び／又は台所周りの硬質物品の洗浄方法。
【請求項５】
（ａ１）成分が、（ａ１−４）炭素数８以上１８以下のアルキル基を１つ有するアルキルグリセリルエーテル型界面活性剤（ａ１−４）〔以下、（ａ１−４）成分という〕を含む、請求項１〜４の何れか１項記載の食器及び／又は台所周りの硬質物品の洗浄方法。
【請求項６】
（ａ１−１）成分の含有量及び（ａ１−２）成分の含有量の合計と、（ａ１−３）成分の含有量及び（ａ１−４）成分の含有量の合計との質量比である［（ａ１−３）＋（ａ１−４）］／［（ａ１−１）＋（ａ１−２）］が、０．０５以上１０以下である、請求項２〜５の何れか１項記載の食器及び／又は台所周りの硬質物品の洗浄方法。
【請求項７】
前記液体洗浄剤組成物が、（ａ１）成分として、（ａ１１）ＨＬＢが１０．５以下の非イオン界面活性剤（ただし（ａ１２）成分を除く）［以下（ａ１１）成分という］、及び（ａ１２）炭素数８以上１８以下のアルキル基を有し、糖の平均縮合度が１以上３以下であるアルキルグリコシド型非イオン界面活性剤［以下（ａ１２）成分という］を含有し、（ａ）成分の含有量と（ａ１１）成分の含有量との質量比である（ａ１１）／（ａ）が０．３以上０．９５以下であり、（ａ１１）成分の含有量に対する（ｃ）成分の含有量の質量比である（ｃ）／（ａ１１）が１以上１０以下であり、２０℃における粘度が２０ｍＰａ・ｓ以下である、請求項１〜６の何れか１項記載の食器及び／又は台所周りの硬質物品の洗浄方法。
【請求項８】
（ｃ）成分が、ＬｏｇＰｏｗが０以上１．５以下の水溶性溶剤である、請求項１〜７の何れか１項記載の食器及び／又は台所周りの硬質物品の洗浄方法。
【請求項９】
（ａ）成分として陰イオン界面活性剤、両性界面活性剤、及び双性界面活性剤から選ばれる１種以上の界面活性剤を含有する、請求項１〜８の何れか１項記載の食器及び／又は台所周りの硬質物品の洗浄方法。
【請求項１０】
液体洗浄剤組成物の２０℃における粘度が１０ｍＰａ・ｓ以下である、請求項１〜９の何れか１項記載の食器及び／又は台所周りの硬質物品の洗浄方法。
【請求項１１】
前記液体洗浄剤組成物を前記食器及び／又は台所周りの硬質物品に接触させた後、外力をかけずに放置する、請求項１〜１０の何れか１項記載の食器及び／又は台所周りの硬質物品の洗浄方法。
【請求項１２】
前記液体洗浄剤組成物を前記食器及び／又は台所周りの硬質物品に接触させた後、該食器及び／又は台所周りの硬質物品を水で濯ぐ、請求項１〜１１の何れか１項記載の食器及び／又は台所周りの硬質物品の洗浄方法。
【請求項１３】
前記液体洗浄剤組成物のｐＨが４以上１１以下である、請求項１〜１２の何れか１項記載の食器及び／又は台所周りの硬質物品の洗浄方法。
【請求項１４】
（ａ）界面活性剤〔以下、（ａ）成分という〕を０．５質量％以上１１質量％以下、（ｂ）酵素〔以下、（ｂ）成分という〕を酵素たんぱく質として０．１ｐｐｍ以上１０００ｐｐｍ以下、（ｃ）水溶性溶剤〔以下、（ｃ）成分という〕及び水を含有し、（ａ）成分として（ａ１）非イオン界面活性剤〔以下、（ａ１）成分という〕を含有し、（ａ）成分の含有量と（ａ１）成分の含有量との質量比である（ａ１）／（ａ）が０．５以上１．０以下である、泡塗布用液体洗浄剤組成物。
【請求項１５】
（ａ１）成分が、（ａ１−１）アルキル基の炭素数が８以上１８以下であるアルキルグリコシド型非イオン界面活性剤〔以下、（ａ１−１）成分という〕を含む、請求項１４記載の泡塗布用液体洗浄剤組成物。
【請求項１６】
（ａ１）成分が、（ａ１−２）窒素原子に結合する基のうち１つが炭素数８以上１８以下のアルキル基であり、残りが炭素数１以上３以下のアルキル基である３級アミンオキシド型界面活性剤〔以下、（ａ１−２）成分という〕を含む、請求項１４又は１５記載の泡塗布用液体洗浄剤組成物。
【請求項１７】
（ａ１）成分が、（ａ１−３）アルキル基の炭素数が９以上１８以下の分岐脂肪アルコール又は２級脂肪アルコールに炭素数２又は３のアルキレンオキサイドを平均３モル以上３０モル以下付加させた非イオン界面活性剤〔以下、（ａ１−３）成分という〕を含む、請求項１４〜１６の何れか１項記載の泡塗布用液体洗浄剤組成物。
【請求項１８】
（ａ１）成分が、（ａ１−４）炭素数８以上１８以下のアルキル基を１つ有するアルキルグリセリルエーテル型界面活性剤（ａ１−４）〔以下、（ａ１−４）成分という〕を含む、請求項１４〜１７の何れか１項記載の泡塗布用液体洗浄剤組成物。
【請求項１９】
（ａ１−１）成分の含有量及び（ａ１−２）成分の含有量の合計と、（ａ１−３）成分の含有量及び（ａ１−４）成分の含有量の合計との質量比である［（ａ１−３）＋（ａ１−４）］／［（ａ１−１）＋（ａ１−２）］が、０．０５以上１０以下である、請求項１５〜１８の何れか１項記載の泡塗布用液体洗浄剤組成物。
【請求項２０】
（ａ１）成分として、（ａ１１）ＨＬＢが１０．５以下の非イオン界面活性剤（ただし（ａ１２）成分を除く）［以下（ａ１１）成分という］、及び（ａ１２）炭素数８以上１８以下のアルキル基を有し、糖の平均縮合度が１以上３以下であるアルキルグリコシド型非イオン界面活性剤［以下（ａ１２）成分という］を含有し、（ａ）成分の含有量と（ａ１１）成分の含有量との質量比である（ａ１１）／（ａ）が０．３以上０．９５以下であり、（ａ１１）成分の含有量に対する（ｃ）成分の含有量の質量比である（ｃ）／（ａ１１）が１以上１０以下であり、２０℃における粘度が２０ｍＰａ・ｓ以下である、請求項１４〜１９の何れか１項記載の泡塗布用液体洗浄剤組成物。
【請求項２１】
（ｃ）成分が、ＬｏｇＰｏｗが０以上１．５以下の水溶性溶剤である、請求項１４〜２０の何れか１項記載の泡塗布用液体洗浄剤組成物。
【請求項２２】
（ａ）成分として陰イオン界面活性剤、両性界面活性剤、及び双性界面活性剤から選ばれる１種以上の界面活性剤を含有する、請求項１４〜２１の何れか１項記載の泡塗布用液体洗浄剤組成物。
【請求項２３】
液体洗浄剤組成物の２０℃における粘度が１０ｍＰａ・ｓ以下である、請求項１４〜２２の何れか１項記載の泡塗布用液体洗浄剤組成物。
【請求項２４】
２０℃でｐＨが４以上１１以下である、請求項１４〜２３の何れか１項記載の泡塗布用液体洗浄剤組成物。
【請求項２５】
泡比容が２ｍＬ／ｇ以上の泡の状態で用いられる、請求項１４〜２４の何れか１項記載の泡塗布用液体洗浄剤組成物。
【請求項２６】
食器及び／又は台所周りの硬質物品用である、請求項１４〜２５の何れか１項記載の泡塗布用液体洗浄剤組成物。
【発明の詳細な説明】
【技術分野】
【０００１】
本発明は、食器及び／又は台所周りの硬質物品の洗浄方法、並びに泡塗布用液体洗浄剤組成物に関する。
【背景技術】
【０００２】
食器や調理器具の洗浄には、食器用洗浄剤を、水を含むスポンジなどに浸み込ませ、数回揉みながら泡立てて、対象物を擦り洗いする方法が一般的に行われている。この方法は食品由来の油脂汚れなどの頑固な汚れを落とすために必要な工程と考えられていたが、スポンジのとどかない細かい隙間や奥行きのある容器や器具を洗浄する場合に不便であった。そのような不便さを解決するために、泡状に食器用洗浄剤を対象物に付着させて、擦らなくても一定時間放置後に濯ぐだけで高い洗浄力を有する技術が開発されている。すなわち、従来のようなスポンジを用いて擦り洗いする方法ではなく、泡状にスプレーして放置し、擦らずに洗う方法が提案されている。特許文献１、特許文献２には、特定の泡比容の泡で液体洗浄剤組成物を硬質表面に接触させた後、機械力をかけずに放置する洗浄方法の提案がなされている。また、特許文献３、特許文献４には、非イオン性界面活性剤及びグリコールエーテルを含有する組成物をトリガー型噴射器などで食器などの硬質表面に適応する技術が記載されている。
【先行技術文献】
【特許文献】
【０００３】
【特許文献１】特開２０１６−１９９７５４号公報
【特許文献２】特開２０１６−１９８７６５号公報
【特許文献３】特表２０１８−５２２１１６号公報、
【特許文献４】特表２０１８−５２４４５３号公報
【発明の概要】
【発明が解決しようとする課題】
【０００４】
食品由来の汚れを効果的に洗浄するには酵素の利用も有用であると考えられる。しかし、汚れた食器等に洗浄剤を接触させた後、外力を加えずに放置して洗浄するような態様では、短時間の処理では酵素による効果を十分に発現させることは難しい。
また、酵素を配合した液体洗浄剤組成物は、安定性に優れることが望まれる。
【０００５】
本発明は、汚れた食器等に洗浄剤を接触させた後、外力を加えずに放置して洗浄するような態様でも優れた洗浄力が得られる食器及び／又は台所周りの硬質物品の洗浄方法、並びにこのような効果を有すると共に保存安定性にも優れた泡塗布用液体洗浄剤組成物を提供する。
【課題を解決するための手段】
【０００６】
本発明は、（ａ）界面活性剤〔以下、（ａ）成分という〕を０．５質量％以上１１質量％以下、（ｂ）酵素〔以下、（ｂ）成分という〕を酵素たんぱく質として０．１ｐｐｍ以上１０００ｐｐｍ以下、（ｃ）水溶性溶剤〔以下、（ｃ）成分という〕及び水を含有し、（ａ）成分として（ａ１）非イオン界面活性剤〔以下、（ａ１）成分という〕を含有し、（ａ）成分の含有量と（ａ１）成分の含有量との質量比である（ａ１）／（ａ）が０．５以上１．０以下である液体洗浄剤組成物を、泡比容が２ｍＬ／ｇ以上の泡の状態で、食品に由来する液体油を含有する汚れが付着した食器及び／又は台所周りの硬質物品に接触させる、食器及び／又は台所周りの硬質物品の洗浄方法に関する。
【０００７】
また、本発明は、（ａ）界面活性剤〔以下、（ａ）成分という〕を０．５質量％以上１１質量％以下、（ｂ）酵素〔以下、（ｂ）成分という〕を酵素たんぱく質として０．１ｐｐｍ以上１０００ｐｐｍ以下、（ｃ）水溶性溶剤〔以下、（ｃ）成分という〕及び水を含有し、（ａ）成分として（ａ１）非イオン界面活性剤〔以下、（ａ１）成分という〕を含有し、（ａ）成分の含有量と（ａ１）成分の含有量との質量比である（ａ１）／（ａ）が０．５以上１．０以下である、泡塗布用液体洗浄剤組成物に関する。
【発明の効果】
【０００８】
本発明によれば、汚れた食器等に洗浄剤を接触させた後、外力を加えずに放置して洗浄するような態様でも優れた洗浄力が得られる食器及び／又は台所周りの硬質物品の洗浄方法、並びにこのような効果を有すると共に保存安定性にも優れた泡塗布用液体洗浄剤組成物が提供される。
【発明を実施するための形態】
【０００９】
＜食器及び／又は台所周りの硬質物品の洗浄方法＞
本発明の食器及び／又は台所周りの硬質物品の洗浄方法は、（ａ）成分を０．５質量％以上１１質量％以下、（ｂ）成分を酵素たんぱく質として０．１ｐｐｍ以上１０００ｐｐｍ以下、（ｃ）成分及び水を含有し、（ａ）成分として（ａ１）成分を含有し、（ａ）成分の含有量と（ａ１）成分の含有量との質量比である（ａ１）／（ａ）が０．５以上１．０以下である液体洗浄剤組成物を、泡比容が２ｍＬ／ｇ以上の泡の状態で、食品に由来する液体油を含有する汚れが付着した食器及び／又は台所周りの硬質物品に接触させる。
【００１０】
まず、前記液体洗浄剤組成物を、本発明の液体洗浄剤組成物として説明する。
（ａ）成分は、界面活性剤である。本発明の液体洗浄剤組成物は、（ａ）成分として、（ａ１）成分の非イオン界面活性剤を含有する。本発明の液体洗浄剤組成物は、（ａ）成分として、非イオン界面活性剤を２種以上含有することが好ましい。
【００１１】
（ａ１）成分の非イオン界面活性剤としては、アルキルグリコシド型非イオン界面活性剤、３級アミンオキシド型界面活性剤、アルキルエーテル型非イオン界面活性剤、及びアルキルグリセリルエーテル型界面活性剤から選ばれる１種以上、好ましくは２種以上の非イオン界面活性剤が挙げられる。
【００１２】
より詳細には、（ａ１）成分が、（ａ１−１）アルキル基の炭素数が８以上１８以下であるアルキルグリコシド型非イオン界面活性剤〔以下、（ａ１−１）成分という〕を含むことが好ましい。（ａ１−１）成分のアルキル基は、好ましくは炭素数８以上、より好ましくは１０以上、そして、好ましくは１６以下、より好ましくは１４以下であり、糖、例えばグルコースの平均縮合度は１以上３以下、好ましくは１以上２以下、より好ましくは１以上１．５以下である。
また、（ａ１）成分が、（ａ１−２）窒素原子に結合する基のうち１つがアミド基又はエステル基で分断されていてもよい炭素数８以上１８以下のアルキル基、好ましくは炭素数８以上１６以下のアルキル基、更に好ましくは炭素数８以上１４以下のアルキル基であり、残りが炭素数１以上３以下のアルキル基、好ましくはメチル基である３級アミンオキシド型界面活性剤〔以下、（ａ１−２）成分という〕を含むことが好ましい。
また、（ａ１）成分が、（ａ１−３）アルキル基の炭素数が９以上１８以下、好ましくは炭素数９以上１５以下の分岐脂肪アルコール又は２級脂肪アルコールに炭素数２又は３のアルキレンオキサイド、好ましくはエチレンオキサイドを平均３モル以上３０モル以下、好ましくは３モル以上２０モル以下、より好ましくは３モル以上１５モル以下付加させた非イオン界面活性剤〔以下、（ａ１−３）成分という〕を含むことが好ましい。
また、（ａ１）成分が、（ａ１−４）炭素数８以上１８以下、好ましくは炭素数８以上１４以下、より好ましくは炭素数８以上１２以下のアルキル基を１つ有するアルキルグリセリルエーテル型界面活性剤（ａ１−４）〔以下、（ａ１−４）成分という〕を含むことが好ましい。また（ａ１−４）成分のアルキル基は炭素数８以上１２以下の分岐鎖アルキル基が好適である。
【００１３】
本発明の液体洗浄剤組成物は、（ａ）成分として、（ａ１−１）成分及び（ａ１−２）成分から選ばれる１種以上の非イオン界面活性剤と、（ａ１−３）成分及び（ａ１−４）成分から選ばれる１種以上の非イオン界面活性剤とを含有することが洗浄力の観点から好ましい。
また、本発明の液体洗浄剤組成物が（ａ）成分として（ａ１−１）成分から選ばれる１種以上の非イオン界面活性剤を含有する場合は、更に、（ａ１−３）成分及び（ａ１−４）成分から選ばれる１種以上の非イオン界面活性剤を含有することが洗浄力の観点から好ましい。その場合、（ａ１−３）成分及び（ａ１−４）成分から選ばれる１種以上の非イオン界面活性剤は、ＨＬＢ（後述のグリフィン氏の方法又は後述する実験方法で求められたＨＬＢ）が１０．５以下の非イオン界面活性剤であってよい。
【００１４】
また、本発明の液体洗浄剤組成物が（ａ）成分として、（ａ１−１）成分から選ばれる１種以上の非イオン界面活性剤を含有する場合は、更に、（ａ１−１）成分以外の非イオン界面活性剤を含有することが好ましい。すなわち、（ａ）成分として、（ａ１−１）成分及び（ａ１−１）成分以外の非イオン界面活性剤を含有することが好ましい。（ａ１−１）成分以外の非イオン界面活性剤としては、ＨＬＢ（後述のグリフィン氏の方法又は後述する実験方法で求められたＨＬＢ）が１０．５以下の非イオン界面活性剤から選ばれる非イオン界面活性剤が挙げられる。この観点で、後述する（ａ１１）成分と（ａ１２）成分の組み合わせは、本発明の（ａ１）成分の好ましい態様の一つである。
【００１５】
本発明の液体洗浄剤組成物は、洗浄力の観点から、（ａ１−１）成分の含有量及び（ａ１−２）成分の含有量の合計と、（ａ１−３）成分の含有量及び（ａ１−４）成分の含有量の合計との質量比である［（ａ１−３）＋（ａ１−４）］／［（ａ１−１）＋（ａ１−２）］が、好ましくは０．０５以上、より好ましくは０．１以上、更に好ましくは０．１５以上、より更に好ましくは０．２以上、そして、好ましくは１０以下、より好ましくは８以下、更に好ましくは５以下、より更に好ましくは４以下である。
【００１６】
本発明の液体洗浄剤組成物は、洗浄力の観点から、（ａ１−１）成分の含有量、（ａ１−２）成分の含有量、（ａ１−３）成分の含有量及び（ａ１−４）成分の含有量の合計と（ａ１）成分の含有量との質量比である［（ａ１−１）＋（ａ１−２）＋（ａ１−３）＋（ａ１−４）］／（ａ１）が、好ましくは０．５以上、より好ましくは０．７以上、更に好ましくは０．８以上、より更に好ましくは０．９以上、そして、１．０以下であり、１．０であってもよい。
【００１７】
（ａ１）成分の他の非イオン界面活性剤として、ポリオキシエチレンアルキルエーテルなどが挙げられるが、本発明の効果を考慮して選定する必要がある。（ａ１−１）成分、（ａ１−２）成分、（ａ１−３）成分、（ａ１−４）成分以外の（ａ１）成分としては、炭素数８以上１８以下、好ましくは１４以下の直鎖脂肪アルコールに炭素数２又は３のオキシアルキレン、好ましくはオキシエチレン基が平均３モル以上、好ましくは５モル以上、そして、２０モル以下、好ましくは１５モル以下付加したポリオキシアルキレンアルキルエーテル［以下（ａ１−５）成分という］が挙げられる。
【００１８】
（ａ１）成分以外の界面活性剤としては、両性界面活性剤〔以下、（ａ２）成分という場合もある〕、及び陰イオン界面活性剤〔以下、（ａ３）成分という場合もある〕から選ばれる１種以上の界面活性剤が挙げられるが、本発明の効果を考慮して選定する必要がある。
【００１９】
（ａ２）成分の両性界面活性剤としては、スルホベタイン型界面活性剤及びカルボベタイン型界面活性剤から選ばれる１種以上の界面活性剤が挙げられる。スルホベタイン型界面活性剤としては、炭素数１０以上、そして、１８以下、好ましくは１６以下、より好ましくは１４以下のアルキル基を１つと、炭素数１以上３以下のアルキル基、好ましくはメチル基を２つと、３−スルホプロピル基又は２−ヒドロキシ−３−スルホプロピル基とを有する化合物が好適である。また、カルボベタイン型界面活性剤としては、アミド基又はエステル基で分断されていてもよい炭素数１０以上、そして、１８以下、好ましくは１６以下、より好ましくは１４以下のアルキル基を１つと、炭素数１以上３以下のアルキル基、好ましくはメチル基を２つと、カルボキシアルキル基、好ましくはカルボキシメチル基を１つ有するカルボベタイン型界面活性剤が好ましい。
【００２０】
（ａ３）成分の陰イオン界面活性剤としては、アルキルアリールスルホン酸型界面活性剤、硫酸エステル型界面活性剤、アルカンスルホン酸型界面活性剤、オレフィンスルホン酸型界面活性剤、スルホコハク酸アルキルエステル型界面活性剤、及びスルホ脂肪酸エステル型界面活性剤から選ばれる１種以上の陰イオン界面活性剤が好ましい。
【００２１】
アルキルアリールスルホン酸型界面活性剤としては、アルキルベンゼンスルホン酸塩が挙げられる。具体的には、炭素数６以上１５以下、好ましくは８以上１５以下のアルキル基を有するアルキルベンゼンスルホン酸塩が挙げられる。
【００２２】
硫酸エステル型界面活性剤としては、炭素数８以上２０以下の炭化水素基と、硫酸エステル基とを有する陰イオン界面活性剤が挙げられる。炭化水素基は、洗浄力の観点から、炭素数が８以上、好ましくは１０以上、より好ましくは１２以上、そして、２０以下、好ましくは１８以下、より好ましくは１４以下、更に好ましくは１２以下である。炭化水素基は、アルキル基が好ましい。
硫酸エステル型界面活性剤としては、アルキル硫酸エステル塩、ポリオキシアルキレンアルキルエーテル硫酸エステル塩が挙げられる。
アルキル硫酸エステル塩としては、炭素数が８以上、好ましくは１０以上、そして、２０以下、好ましくは１８以下、より好ましくは１４以下、更に好ましくは１２以下のアルキル基、更に直鎖又は分岐鎖のアルキル基を有するアルキル硫酸エステル塩が好適である。
【００２３】
ポリオキシアルキレンアルキルエーテル硫酸エステル塩としては、炭素数８以上、好ましくは１０以上、そして、２０以下、好ましくは１８以下、より好ましくは１４以下、更に好ましくは１２以下のアルキル基、更に直鎖又は分岐鎖のアルキル基を有し、炭素数２以上３以下のオキシアルキレン基の平均付加モル数が、好ましくは０．１以上、より好ましくは０．３以上、更に好ましくは０．４以上、そして、好ましくは６以下、より好ましくは３以下、更に好ましくは１．５以下である、ポリオキシアルキレンアルキルエーテル硫酸エステル塩が好適である。オキシアルキレン基は炭素数２が好ましい。
【００２４】
アルカンスルホン酸型界面活性剤としては、アルカン部分の炭素数が８以上、好ましくは１０以上、より好ましくは１４以上、そして、２０以下、好ましくは１８以下のアルカンスルホン酸塩が挙げられる。
【００２５】
オレフィンスルホン酸型界面活性剤としては、α−オレフィンスルホン酸塩、内部オレフィンスルホン酸塩が挙げられる。α−オレフィンスルホン酸塩は、オレフィン部分の炭素数が８以上、好ましくは１０以上、より好ましくは１４以上、そして、２２以下、好ましくは２０以下、より好ましくは１８以下である。また内部オレフィンスルホン酸塩は、オレフィン部分の炭素数が８以上、好ましくは１２以上、より好ましくは１６以上、そして、２４以下、好ましくは２０以下、より好ましくは１８以下である。
【００２６】
スルホコハク酸アルキルエステル型界面活性剤としては炭素数５以上、好ましくは６以上、より好ましくは７以上、そして、１８以下、好ましくは１４以下、より好ましくは１０以下の脂肪アルコールとスルホコハク酸とのモノエステル及び／又はジエステル、好ましくはジエステルが好ましい。また、脂肪アルコールは分岐アルコールが洗浄力の点から好適である。
【００２７】
スルホ脂肪酸エステル型界面活性剤としては、脂肪酸部分の炭素数が１０以上１８以下のα−スルホ脂肪酸塩、脂肪酸部分の炭素数が１０以上１８以下であり、エステル部分の炭素数が１以上５以下であるα−スルホ脂肪酸低級アルキルエステル塩が挙げられる。
【００２８】
本発明の液体洗浄剤組成物は、洗浄力及び貯蔵安定性の観点から、（ａ）成分の含有量と（ａ１）成分の含有量との質量比である（ａ１）／（ａ）が０．５以上、好ましくは０．７以上、より好ましくは０．８以上、更に好ましくは０．９以上、そして、１．０以下であり、１．０であってもよい。
【００２９】
本発明の液体洗浄剤組成物は、洗浄力及び貯蔵安定性の観点から、（ａ）成分を０．５質量％以上、好ましくは１．０質量％以上、より好ましくは２．０質量％以上、そして、１１質量％以下、好ましくは１０質量％以下、より好ましくは８質量％以下含有する。
【００３０】
（ｂ）成分は、酵素である。
（ｂ）成分としては、リパーゼ、アミラーゼ、及びプロテアーゼから選ばれる１種以上の酵素が挙げられる。
【００３１】
リパーゼとしては、Ｅ．Ｃ．３．１．１．３のトリアシルグリセロールリパーゼ、Ｅ．Ｃ．３．１．１．１３のコレステロールエステラーゼ、Ｅ．Ｃ．３．１．２３のモノアシルグリセロールリパーゼ、Ｅ．Ｃ．３．１．１．３４のリポプロテインリパーゼが好ましい。リパーゼの由来は限定されないが、動物由来、植物由来、又は微生物由来のリパーゼが挙げられる。微生物由来リパーゼとしては、リゾプス（Rizopus）属、アスペルギルス（Aspergillus）属、ムコール（Mucor）属、シュードモナス（Pseudomonas）属、ジオトリケム（Geotrichum）属、ペニシリウム（Penicillium）属、キャンディダ（Candida）属等の起源のものが挙げられる。
（ｂ）成分のリパーゼは、リパーゼA「アマノ」6、リパーゼAY「アマノ」30SD、リパーゼGS「アマノ」250G、リパーゼR「アマノ」、リパーゼDF「アマノ」15、リパーゼMER「アマノ」（以上、天野エンザイム（株）製）、オリパーゼ（長瀬産業（株））、リパーゼMY、リパーゼOF、リパーゼPL、リパーゼPLC、リパーゼQLM、リパーゼQLC、ホスホリパーゼD（以上、明糖産業（株）製）、リポプロテインリパーゼ（オリエンタル酵母（株）製）、リパーゼ（東洋醸造（株）製）、Ｌｉｐｅｘ、Ｌｉｐｏｌａｓｅ、リパーゼSP−225（ノボザイムズ社製）、リパーゼ（ギスト社製）、リパーゼＡ、リパーゼＢ（以上、サッポロビール（株）製）などの市販品を用いることができる。
本発明では、Ｌｉｐｅｘ、Ｌｉｐｏｌａｓｅ（何れもノボザイムズ社製）が好適である。
【００３２】
プロテアーゼとしては、中性又はアルカリ性の水溶液中で作用できるプロテアーゼが挙げられる。好ましいプロテアーゼの具体例としては、国際公開第９９／０１８２１８号に記載されているアルカリプロテアーゼであって、好ましくは配列番号１又は２で示されるアミノ酸配列の７０％以上が保存されているもの、特開平５−２５４９２に記載されているアルカリプロテアーゼであって、好ましくはアルカリプロテアーゼＫ−１６又はアルカリプロテアーゼＫ−１４等が挙げられる。その他に、ノボザイムズ社製のサビナーゼ（登録商標）、カンナーゼ（登録商標）、エバラーゼ（登録商標）、アルカラーゼ（登録商標）、ポラーザイム（登録商標）、エスペラーゼ（登録商標）の商品名で販売されているバチルス属ズブチリシン類が生産するプロテアーゼ、デュポン社製のＦＮ２（登録商標）、ＦＮ３（登録商標）及びＦＮ４（登録商標）、プラフェクト（登録商標）、プラフェクトプライム（登録商標）の商品名で供給されるプロテアーゼ類又はその変異型等が挙げられる。これらの中でも、国際公開第９９／０１８２１８号に記載されている配列番号１、又は２で示されるアミノ酸配列の８０％以上が保存されている酵素、ノボザイムズ社製のサビナーゼ、エバラーゼ、アルカラーゼ、プログレス、デュポン社製のプラフェクト、プラフェクトプライムがより好ましい。
【００３３】
アミラーゼとしては、バチルス ズブチリスマーバーグ（Bacillus subtilis Marburg）、バチルス ズブチリス ナットウ（Bacillus subtilis natto）、バチルス アミロリケファシエンス（Bacillusamyloliquefaciens）、バチルス リケニフォルミス（Bacillus licheniformis）、バチルスセレウス（Bacillus cereus）、バチルス マセランス（Bacillusmacerans）、シュードモナス シュツッツェリ（Pseudomonas stutzeri）、クレブシェラアエリゲネス（Klebusiella aerogenes）等の細菌、ストレプトマイセス グリセウス（Streptomyces griseus）等の放線菌、アスペルギウス オリザエ（Aspergillusoryzae）、アスペルギルス ニガー（Aspergillus niger）等のカビ類、イネ科及びマメ科植物の種子、ヒト及びブタ等の動物の消化腺等多くの生物から得られているものを使用することができる。本発明に用いるアミラーゼは、前記微生物又はそれらの変異株、又はこれらの酵素若しくはその変異体をコードするＤＮＡ配列を有する組換えベクターで形質転換された宿主細胞等を、同化性の炭素源、窒素源その他の必須栄養素を含む培地に接種し、常法に従い培養し、一般の酵素の採取及び精製方法に準じて得ることができる。このようにして得られる酵素液はそのまま用いることもできるが、更に公知の方法により精製、結晶化、粉末製剤化又は液体製剤化したものを用いることができる。本発明に用いるアミラーゼは、α−アミラーゼが好ましい。使用できる市販のアミラーゼとしては、商標名ラピダーゼ（ギスト ブロカーズ社製）、商標名ターマミル、デュラミル及びステインザイム（ノボザイムズジャパン（株）製）、Amplify（ノボザイムズ社製）、商標名プラスターＳＴ及びプラスターＯｘＡｍ（ジェネンコア・インターナショナル社製）を挙げることができる。
【００３４】
（ｂ）成分は、洗浄力の観点から、リパーゼが好ましい。本発明の液体洗浄剤組成物は、（ｂ）成分としてリパーゼを含有することが好ましい。
【００３５】
本発明の液体洗浄剤組成物は、（ｂ）成分を、酵素たんぱく質として、好ましくは０．１ｐｐｍ以上１０００ｐｐｍ以下含有する。組成物中の（ｂ）成分の含有量は、酵素たんぱく質として、好ましくは０．５ｐｐｍ以上、より好ましくは１ｐｐｍ以上、更により好ましくは２ｐｐｍ以上、そして、好ましくは５００ｐｐｍ以下、より好ましくは２００ｐｐｍ以下、更に好ましくは１００ｐｐｍ以下である。なお、（ｂ）成分の酵素たんぱく質は、バイオラッド社製のプロテインアッセイキットII（カタログ番号５００−０００２）を用い、標準アッセイ法に従って、キットに添付されたウシ血清アルブミンを標準タンパク質として定量することができる。
【００３６】
（ｃ）成分は、水溶性溶剤である。（ｃ）成分の溶剤について、水溶性とは、２５℃の水１００ｇに５ｇ以上溶解することをいう。
【００３７】
（ｃ）成分としては、炭素数２以上、更に炭素数３以上、そして、炭素数１０以下、更に炭素数８以下の水溶性有機溶剤が好ましい。また、（ｃ）成分としては、一価アルコール、多価アルコール（グリコールなど）、及びグリコールエーテルから選ばれる水溶性有機溶剤が好ましい。
【００３８】
（ｃ）成分としては、洗浄力及び貯蔵安定性の観点から、ＬｏｇＰｏｗが、好ましくは０以上、より好ましくは０．１以上、更に好ましくは０．２以上、そして、同様の観点から、好ましくは１．５以下、より好ましくは１．０以下の水溶性有機溶剤が挙げられる。
【００３９】
本発明において、ｌｏｇＰｏｗ値とは、水と１−オクタノールに対する有機化合物の親和性を示す係数である。１−オクタノール／水分配係数Ｐは、１−オクタノールと水の２液相の溶媒に微量の化合物が溶質として溶け込んだときの分配平衡で、それぞれの溶媒中における化合物の平衡濃度の比であり、底１０に対するそれらの対数ｌｏｇＰｏｗの形で示すのが一般的である。多くの化合物のｌｏｇＰｏｗ値が報告されており、Daylight Chemical Information Systems, Inc. (Daylight CIS)等から入手しうるデータベースには多くの値が掲載されているので参照できる。実測のｌｏｇＰｏｗ値がない場合には、Daylight CISから入手できるプログラム「CLOGP」等で計算することができる。このプログラムは、実測のｌｏｇＰｏｗ値がある場合にはそれと共に、Hansch, Leoのフラグメントアプローチにより算出される「計算ｌｏｇＰｏｗ（ＣｌｏｇＰｏｗ）」の値を出力する。
【００４０】
フラグメントアプローチは化合物の化学構造に基づいており、原子の数及び化学結合のタイプを考慮している（cf.A. Leo, Comprehensive Medicinal Chemistry, Vol.4, C. Hansch,P.G. Sammens, J.B.Taylor and C.A. Ramsden, Eds., p.295, Pergamon Press, 1990）。このＣｌｏｇＰｏｗ値を、化合物の選択に際して実測のｌｏｇＰｏｗ値の代わりに用いることができる。本発明では、ｌｏｇＰｏｗの実測値があればそれを、無い場合はプログラムCLOGP v4.01により計算したＣｌｏｇＰｏｗ値を用いる。
【００４１】
（ｃ）成分としては、（ｃ−１）炭素数１以上３以下の１価アルコール、（ｃ−２）炭素数２以上４以下の多価アルコール、（ｃ−３）アルキレングリコール単位の炭素数が２ないし４のジ又はトリアルキレングリコール、（ｃ−４）アルキレングリコール単位の炭素数が２ないし４のモノ、ジ、トリ又はテトラアルキレングリコールの、モノアルキル（メチル、エチル、プロピル又はブチル）、モノフェニル又はモノベンジルエーテルを挙げることができる。
【００４２】
具体的には（ｃ−１）として、エタノール、イソプロピルアルコール、（ｃ−２）として、イソプレングリコール、プロピレングリコール、（ｃ−４）として、プロピレングリコールモノエチルエーテル、ジエチレングリコールモノブチルエーテル（ブチルジグリコールなどとも称される）、ジプロピレングリコールモノブチルエーテル、トリエチレングリコールモノブチルエーテル（ブチルトリグリコールなどとも称される）、フェノキシエタノール、フェノキシトリエチレングリコール、フェノキシイソプロパノールが挙げられる。（ｃ）成分としては、エタノール、プロピレングリコール、ジプロピレングリコールモノブチルエーテル、ジエチレングリコールモノブチルエーテル、トリエチレングリコールモノブチルエーテル、フェノキシエタノール、及びフェノキシイソプロパノールから選ばれる有機溶剤が好ましい。
【００４３】
本発明の食器及び／又は台所周りの硬質物品用液体洗浄剤組成物は、食品由来の液体油汚れの洗浄作用をより高める観点から、（ｃ）成分は、アルコキシ基を有するものが好ましく、更に上記（ｃ−４）から選ばれる一種以上を含むことが好ましく、（ｃ）成分としてジエチレングリコールモノブチルエーテル、トリエチレングリコールモノブチルエーテル及びジプロピレングリコールモノブチルエーテルから選ばれる一種以上を含有することがより好ましく、ジエチレングリコールモノブチルエーテルを含有することがより好ましい。
【００４４】
本発明の液体洗浄剤組成物は、洗浄力及び貯蔵安定性の観点から、（ｃ）成分を、好ましくは１．０以上、より好ましくは２．０質量％以上、更に好ましくは５．０質量％以上、そして、好ましくは３０質量％以下、より好ましくは２５質量％以下、更に好ましくは２０％以下含有する。
【００４５】
本発明の液体洗浄剤組成物は、洗浄性能の観点から、（ｃ）成分の含有量と（ａ１−３）成分の含有量と（ａ１−４）成分の含有量の合計との質量比である、（ｃ）／［（ａ１−３）＋（ａ１−４）］が、好ましくは１以上、より好ましくは１．５以上、更に好ましくは２以上、より更に好ましくは２．５以上、そして、好ましくは２０以下、より好ましくは１５以下、更に好ましくは１０以下である。
【００４６】
本発明の液体洗浄剤組成物は、（ａ）成分、（ｂ）成分、（ｃ）成分以外に、ゲル化防止剤、ポリアクリル酸等の増粘剤、香料、染料、顔料、殺菌剤、防腐剤、ｐＨ調整剤などの成分を、本発明の効果を損なわない範囲で含有することができる。
【００４７】
本発明の液体洗浄剤組成物は、水を含有する。すなわち、前記（ａ）〜（ｃ）成分及び任意成分以外の残部が水である。本発明の液体洗浄剤組成物は、好適な粘度に調整し、本発明の効果を十分に発揮できる観点から、水を、好ましくは３０質量％以上、より好ましくは５０質量％以上、より好ましくは６０質量％以上、更に好ましくは７０質量％以上、より更に好ましくは８０質量％以上、より更に好ましくは９０質量％以上、そして、好ましくは９９．５質量％以下、より好ましくは９９質量％以下含有する。水は、イオン交換水、滅菌イオン交換水等を使用することが好ましい。
【００４８】
本発明の液体洗浄剤組成物の２０℃における粘度は、２０ｍＰａ・ｓ以下、好ましくは１５ｍＰａ・ｓ以下、より好ましくは１０ｍＰａ・ｓ以下、更に好ましくは５ｍＰａ／ｓ以下である。この粘度の下限値は、好ましくは０．５ｍＰａ・ｓ以上、より好ましくは１ｍＰａ・ｓ以上とすることができる。粘度は溶剤やハイドロトロープ剤などで調整することができる。ここで、当該粘度は、以下の方法で測定されたものである。
〔粘度の測定方法〕
ＴＯＫＩＭＥＣ ＩＮＣ．製Ｂ型粘度計モデルＢＭに、ローター番号Ｎｏ．１のローターを備え付けたものを準備する。測定対象の液体洗浄剤組成物を粘度測定用ビーカーに充填し、２０℃の恒温水槽中で充分に温度調節する。組成物の入ったビーカーを粘度計にセットし、ローター回転数を６０ｒ／ｍｉｎとして測定した６０秒後の値を、組成物の粘度とする。
【００４９】
本発明の液体洗浄剤組成物は、ｐＨが、好ましくは４以上、より好ましくは５以上、更に好ましくは６以上、より更に好ましくは７以上、そして、好ましくは１１以下、より好ましくは１０以下、更に好ましくは９以下である。このｐＨは、洗浄時の温度におけるｐＨであるが、２０℃におけるｐＨであってもよい。なお、ｐＨはガラス電極法で測定できる。
【００５０】
本発明の液体洗浄剤組成物は、更に（ｄ）金属封鎖剤［以下（ｄ）成分という］を含有することができる。（ｄ）成分としては、クエン酸、エチレンジアミン４酢酸、メチルグリシン２酢酸、Ｌ−グルタミン酸二酢酸、及びこれらの塩、例えばナトリウム塩等が挙げられる。本発明の液体洗浄剤組成物が（ｄ）成分を含有する場合、液体油汚れに対する洗浄力の観点から、該組成物は、（ｄ）成分を、好ましくは０．１質量％以上、より好ましくは０．５質量％以上、更に好ましくは１質量％以上、そして、好ましくは１５質量％以下、より好ましくは１０質量％以下、更に好ましくは５質量％以下含有する。
【００５１】
本発明の液体洗浄剤組成物は、更に（ｅ）ハイドロトロープ剤［以下（ｅ）成分という］を含有することが、適度な粘度に調整する目的から、好ましい。ハイドロトロープ剤としては、最大炭素数が３以下のアルキル基を１〜３個有するアルキルベンゼンスルホン酸塩が好ましく、具体的にはトルエンスルホン酸、キシレンスルホン酸、及びクメンスルホン酸、並びにこれらのナトリウム、カリウムあるいはマグネシウム塩が良好であり、ｐ−トルエンスルホン酸又はその塩がより良好である。
本発明の液体洗浄剤組成物が（ｅ）成分を含有する場合、泡を形成するために適度な粘度と貯蔵安定性の観点から、該組成物は、（ｅ）成分を、好ましくは１質量％以上、より好ましくは１．５質量％以上、そして、好ましくは１０質量％以下、より好ましくは７．５質量％以下含有する。
【００５２】
本発明の洗浄方法として、
（ａ）成分を０．５質量％以上１１質量％以下、（ｂ）成分を酵素たんぱく質として０．１ｐｐｍ以上１０００ｐｐｍ以下、（ｃ）成分及び水を含有し、（ａ）成分として（ａ１）成分を含有し、（ａ）成分の含有量と（ａ１）成分の含有量との質量比である（ａ１）／（ａ）が０．５以上１．０以下であり、（ａ１）成分として、（ａ１１）ＨＬＢが１０．５以下の非イオン界面活性剤（ただし（ａ１２）成分を除く）［以下（ａ１１）成分という］、及び（ａ１２）炭素数８以上１８以下のアルキル基を有し、糖、例えばグルコースの平均縮合度が１以上３以下であるアルキルグリコシド型非イオン界面活性剤［以下（ａ１２）成分という］を含有し、（ａ）成分の含有量と（ａ１１）成分の含有量との質量比である（ａ１１）／（ａ）が０．３以上０．９５以下であり、（ａ１１）成分の含有量に対する（ｃ）成分の含有量の質量比である（ｃ）／（ａ１１）が１以上１０以下であり、２０℃における粘度が２０ｍＰａ・ｓ以下である、液体洗浄剤組成物〔以下、液体洗浄剤組成物（Ｉ）という場合もある〕を、
泡比容が２ｍＬ／ｇ以上の泡の状態で、食品に由来する液体油を含有する汚れが付着した食器及び／又は台所周りの硬質物品に接触させる、
食器及び／又は台所周りの硬質物品の洗浄方法が挙げられる。
【００５３】
（ａ１１）成分は、ＨＬＢが１０．５以下の非イオン界面活性剤（ただし（ａ１２）成分を除く）である。
（ａ１１）成分は、前記の（ａ１−３）成分、及び（ａ１−４）成分から選択されてもよい。
【００５４】
（ａ１１）成分のＨＬＢは、液体油汚れに対する洗浄力の観点から、好ましくは３以上、より好ましくは４以上、更に好ましくは５以上、そして、好ましくは１０以下、より好ましくは９．５以下、更に好ましくは９以下である。
【００５５】
（ａ１１）成分のＨＬＢは、グリフィン氏の方法で求められたＨＬＢであり、この方法のＨＬＢ値は、ポリオキシアルキレン型非イオン界面活性剤の場合には下式により求める。
ＨＬＢ値＝２０×（ＭＨ／Ｍ）  ［ＭＨ：親水基部分の分子量、Ｍ：分子量］
親水基部分であるポリオキシアルキレン基のオキシアルキレン基の付加モル数に分布を有する場合には、付加モル数の平均値を用いて親水基部分の分子量を求めることとする。
また、エステル型非イオン界面活性剤の場合には下式により求める。
ＨＬＢ値＝２０×（１−Ｓ／Ａ）  ［Ｓ：エステルのケン化価、Ａ：脂肪酸の酸価］
これらのＨＬＢの計算にあたっては、「油化学  第１３巻  第４号」（１９６４）３６−３９頁、早野茂夫、東京大学生産技術研究所に記載の方法を参考にすることができる。
なお、グリフィン氏の方法ではＨＬＢを求めることができない非イオン界面活性剤については、ＨＬＢは実験によって求めた値を採用するものとする。実験方法は「界面活性剤便覧」産業図書株式会社版、西  一郎ら編集、昭和４１年１月１０日第５刷、３１９頁記載の方法を採用する。
すなわち、（ａ１１）成分は、グリフィン氏の方法及び前記実験方法で求められたＨＬＢの少なくとも一方が１０．５以下の非イオン界面活性剤である。以下、非イオン界面活性剤についてＨＬＢという場合、特記しない限り、前記の２つの方法で求められたＨＬＢを意味する。
【００５６】
（ａ１１）成分としては、
（ａ１１−１）アルキル基の炭素数が５以上１０以下の、ＨＬＢが１０．５以下のアルキルグリセリルエーテル〔以下、（ａ１１−１）成分という〕、
（ａ１１−２）炭素数８以上１８以下の脂肪アルコール又は炭素数８以上１８以下の脂肪酸の低級アルコールエステル（低級アルコールの炭素数は１以上３以下）に炭素数２又は３のアルキレンオキシドを平均１モル以上５モル以下付加させた非イオン界面活性剤であって、ＨＬＢが１０．５以下のポリオキシアルキレン型非イオン界面活性剤〔以下、（ａ１１−２）成分という〕、
（ａ１１−３）２以上１０以下のヒドロキシ基を有する多価アルコールと炭素数８以上１８以下の脂肪酸とのエステルであって、ＨＬＢが１０．５以下であるエステルからなる多価アルコールエステル型非イオン界面活性剤〔以下、（ａ１１−３）成分という〕、
（ａ１１−４）炭素数８以上１８以下のアルカノイル基を有するモノ又はジアルカノールアミド（アルカノール基の炭素数は２又は３）又はそのアルキレンオキシド付加物（アルキレンオキシドは炭素数２又は３であり、その平均付加モル数は０超４以下）であって、ＨＬＢが１０．５以下のアルカノールアミド型非イオン界面活性剤〔以下、（ａ１１−４）成分という〕、及び
（ａ１１−５）炭素数８以上１８以下の炭化水素基を有するアミンの炭素数２又は３のアルキレンオキシド付加物であって、ＨＬＢが１０．５以下の非イオン界面活性剤〔以下、（ａ１１−５）成分という〕
から選ばれる一種以上の非イオン界面活性剤が挙げられる。
【００５７】
（ａ１１−１）成分を構成するアルキル基は直鎖でも分岐鎖でもよい。アルキル基の炭素数は、好ましくは６以上、そして、好ましくは９以下である。（ａ１１−１）成分としては、具体的には、デシルグリセリルエーテル、ヘキシルグリセリルエーテル、オクチルグリセリルエーテル、２−エチルヘキシルグリセリルエーテルが挙げられる。
【００５８】
（ａ１１−２）成分を構成する脂肪アルコール又は脂肪酸は、直鎖でも分岐鎖でもよい。該脂肪アルコール又は脂肪酸の炭素数は、それぞれ、好ましくは１０以上、そして、好ましくは１６以下、より好ましくは１４以下である。（ａ１１−２）成分のポリオキシアルキレン基は、平均付加モル数が、好ましくは２以上、そして、好ましくは４以下である。アルキレンオキシドは、炭素数２のアルキレンオキシド及び／又は炭素数３のアルキレンオキシド、すなわちエチレンオキシド及び／又はプロピレンオキシドが好ましく、エチレンオキシドがより好ましい。脂肪酸の低級アルコールエステルとしてはメチルエステル、エチルエステルが好ましい。（ａ１１−２）成分としては、具体的には、炭素数１０以上１４以下の直鎖脂肪アルコールにエチレンオキシドを平均１モル以上４モル以下付加したポリオキシエチレンアルキルエーテル型非イオン界面活性剤、炭素数１０以上１５以下の２級アルコールにエチレンオキシドを平均１モル以上４モル以下付加したポリオキシエチレンアルキルエーテル型非イオン界面活性剤、炭素数１０以上１４以下の脂肪酸のメチルエステルにエチレンオキシドを平均２モル以上５モル以下付加した非イオン界面活性剤が挙げられる。
【００５９】
（ａ１１−３）成分を構成する多価アルコールとしては、ヒドロキシ基の数は、好ましくは３以上、そして、好ましくは６以下である。（ａ１１−３）成分を構成する多価アルコールとしては、グリセリン、ジグリセリン、トリメチロールプロパン、ペンタエリスリトール、ソルビタンなどが挙げられる。また、（ａ１１−３）成分を構成する脂肪酸の炭素数は、好ましくは１０以上、そして、１８以下、好ましくは１４以下である。（ａ１１−３）成分としては、具体的には、グリセリンモノ又はジラウレート、グリセリンモノ又はジステアレート、トリメチロールプロパンのモノ又はジラウレート、ペンタエリスリトールのモノ又はジラウレート、ソルビタンモノラウレートが挙げられる。
【００６０】
（ａ１１−４）成分を構成するアルカノイル基の炭素数は、好ましくは１０以上、そして、好ましくは１６以下、より好ましくは１４以下である。アルカノール基（−ＲＯＨ：Ｒは炭素数２又は３のアルキレン基）の炭素数は２が好ましい。また、アルキレンオキシド付加物である場合は、平均付加モル数は１以上３以下が好ましい。アルキレンオキシドは、炭素数２のアルキレンオキシド及び／又は炭素数３のアルキレンオキシド、すなわちエチレンオキシド及び／又はプロピレンオキシドが好ましく、エチレンオキシドがより好ましい。
【００６１】
（ａ１１−５）成分を構成する炭化水素基の炭素数は、好ましくは１０以上、そして、好ましくは１６以下、より好ましくは１４以下である。（ａ１１−４）成分の炭化水素基はアルキル基が好ましい。アルキレンオキシドは、炭素数２のアルキレンオキシド及び／又は炭素数３のアルキレンオキシド、すなわちエチレンオキシド及び／又はプロピレンオキシドが好ましく、エチレンオキシドがより好ましい。また、アルキレンオキシドの平均付加モル数は１以上４以下が好ましい。
【００６２】
（ａ１１）成分としては、好ましくは（ａ１１−１）成分である。
【００６３】
（ａ１２）成分は、炭素数８以上１８以下のアルキル基を有し、糖、例えばグルコースの平均縮合度が１以上３以下であるアルキルグリコシド型非イオン界面活性剤である。
（ａ１２）成分は、前記の（ａ１−１）成分から選択してもよい。
【００６４】
（ａ１２）成分のアルキル基の炭素数は、好ましくは１０以上、そして、好ましくは１６以下、更に好ましくは１４以下である。（ａ１２）成分の糖、例えばグルコースの平均縮合度は１以上、そして、好ましくは２．５以下、より好ましくは２以下、更に好ましくは１．５以下である。
【００６５】
（ａ１２）成分としては、具体的には、平均炭素数が８以上１４以下の直鎖又は分岐アルコールと平均１．０モル以上２．０モル以下のグルコースとが縮合したアルキルグリコシドが挙げられる。
【００６６】
（ａ）成分の含有量が０．５質量％以上１１質量％以下であるという条件を満たした上で、液体洗浄剤組成物（Ｉ）は、液体油汚れに対する洗浄力の観点から、（ａ１１）成分を、好ましくは０．５質量％以上、より好ましくは１質量％以上、更に好ましくは２質量％以上、そして、好ましくは１０質量％以下、より好ましくは８質量％以下、更に好ましくは６質量％以下含有する。
【００６７】
（ａ）成分の含有量が０．５質量％以上１１質量％以下であるという条件を満たした上で、液体洗浄剤組成物（Ｉ）は、起泡性の観点から、（ａ１２）成分を、好ましくは０．２５質量％以上、より好ましくは１質量％以上、更に好ましくは２質量％以上、そして、好ましくは１０質量％以下、より好ましくは８質量％以下、更に好ましくは６質量％以下含有する。
【００６８】
液体洗浄剤組成物（Ｉ）は、液体油汚れに対する洗浄力の観点から、（ｃ）成分を、好ましくは０．５質量％以上、より好ましくは１質量％以上、更に好ましくは４質量％以上、そして、好ましくは３０質量％以下、より好ましくは２０質量％以下、更に好ましくは１５質量％以下含有する。
【００６９】
液体洗浄剤組成物（Ｉ）は、液体油汚れに対する洗浄力の観点から、（ａ）成分の含有量と（ａ１１）成分の含有量との質量比である（ａ１１）／（ａ）が、０．３以上、好ましくは０．３５以上、より好ましくは０．４以上、そして、０．９５以下、好ましくは０．９以下、より好ましくは０．８以下である。
【００７０】
液体洗浄剤組成物（Ｉ）は、液体油汚れに対する洗浄力の観点から、（ａ）成分中の（ａ１１）成分及び（ａ１２）成分の合計の割合が、好ましくは５０質量％以上、より好ましくは６０質量％以上、更に好ましくは７０質量％以上、より更に好ましくは８０質量％以上、そして、好ましくは１００質量％以下であり、１００質量％であってもよい。
【００７１】
液体洗浄剤組成物（Ｉ）は、液体油汚れに対する洗浄力の観点から、（ａ１１）成分の含有量に対する（ｃ）成分の含有量の質量比である（ｃ）／（ａ１１）が１以上１０以下である。（ｃ）／（ａ１１）の質量比は、好ましくは８以下、より好ましくは５以下、更に好ましくは４以下、より更に好ましくは３以下である。
【００７２】
液体洗浄剤組成物（Ｉ）は、液体油汚れに対する洗浄力、及び泡形成直後の起泡力の観点から、（ａ１２）成分の含有量に対する（ａ１１）成分の含有量の質量比である（ａ１１）／（ａ１２）が好ましくは０．２以上１０以下である。（ａ１１）／（ａ１２）の質量比は、より好ましくは０．５以上、そして、より好ましくは８以下、更に好ましくは５以下である。
【００７３】
液体洗浄剤組成物（Ｉ）は（ａ１１）成分、（ａ１１）成分以外の界面活性剤を含有することができるが、本発明の効果を損なわない範囲で用いることが必要である。陰イオン界面活性剤は、（ａ１１）成分の液体油への浸透性に影響を及ぼすおそれがあるため、含有する場合には、組成物中の含有量は、好ましくは５質量％以下、より好ましくは４質量％以下、更に好ましくは３質量％以下、より更に好ましくは２質量％、より更に好ましくは１質量％以下である。
【００７４】
本発明の食器及び／又は台所周りの硬質物品用液体洗浄剤組成物は、固体脂の洗浄力を向上させる目的から、陰イオン界面活性剤として、スルホコハク酸エステル型界面活性剤を含有することができる。スルホコハク酸エステル型界面活性剤として、アルキル基が炭素数５以上１８以下の直鎖又は分岐鎖アルキル基であるスルホコハク酸ジアルキルエステル又はその塩が挙げられる。前記アルキル基は、好ましくは分岐鎖アルキル基であり、より好ましくは２−エチルヘキシル基、ｓｅｃ−オクチル基、イソペンチル基、イソノニル基、イソデシル基から選ばれるアルキル基であり、更に好ましくはｓｅｃ−オクチル基、イソデシル基、及び２−エチルヘキシル基から選ばれるアルキル基であり、より更に好ましくは２−エチルヘキシル基である。塩は、アルカリ金属塩が好ましい。液体洗浄剤組成物（Ｉ）がスルホコハク酸エステル型界面活性剤を含有する場合、その含有量は、組成物中、好ましくは０．０１質量％以上、より好ましくは０．０５質量％以上、更に好ましくは０．１質量％以上、より更に好ましくは０．５質量％以上、そして、好ましくは５質量％以下、より好ましくは３質量％以下、更に好ましくは２質量％以下である。
【００７５】
本発明の食器及び／又は台所周りの硬質物品の洗浄方法は、本発明の液体洗浄剤組成物を、泡比容が２ｍＬ／ｇ以上の泡の状態で、食品に由来する液体油を含有する汚れ、例えば液体油と固体脂の複合汚れが付着した食器及び／又は台所周りの硬質物品に接触させる洗浄方法である。この方法は、手や道具の届かない部位や届きにくい細部の洗浄に好適である。本発明の液体洗浄剤組成物は、希釈せずに泡比容が２ｍＬ／ｇ以上の泡の状態で、前記食器及び／又は台所周りの硬質物品に接触させることが好ましい。
【００７６】
本発明の液体洗浄剤組成物を、食品に由来する液体油を含有する汚れに接触させると、液体油は細かく分断され、浮き上がるように対象物（食器及び／又は台所周りの硬質物品）から剥離される。そのため、本発明の洗浄方法では、擦り洗いなどの外力を加えなくても、例えば所定時間放置した後に対象物を水で濯ぐことで、液体油を容易に洗浄することができる。
【００７７】
本発明の洗浄方法では、前記液体洗浄剤組成物を、希釈せずに泡の状態で、食品に由来する液体油を含有する汚れが付着した食器及び／又は台所周りの硬質物品に接触させ、擦らずに濯ぐことが好ましい。
本発明の洗浄方法では、前記液体洗浄剤組成物を希釈せずに泡状にして、例えば液体油を含む油汚れが付着した、食器及び／又は台所周りの硬質物品と接触させ、機械力などの外力をかけずに洗浄することが好ましい。
本発明の洗浄方法では、前記液体洗浄剤組成物を希釈せずに泡状にして、例えば液体油を含む油汚れが付着した、食器及び／又は台所周りの硬質物品と接触させ、機械力などの外力をかけずに放置して洗浄することが好ましい。
機械力などの外力をかけずに食器及び／又は台所周りの硬質物品を洗浄するとは、例えば、組成物の接触以外に、洗浄のための外力を意図的に対象物に負荷する操作を行わないことである。例えば、接触させた組成物が食器及び／又は台所周りの硬質物品の表面を自然に流下することや、洗浄を意図しない振動が食器及び／又は台所周りの硬質物品に伝わることなどは、機械力などの外力をかけずに食器及び／又は台所周りの硬質物品を洗浄すると理解できる。
前記液体洗浄剤組成物を希釈せずに食品に由来する液体油を含有する汚れが付着した食器及び／又は台所周りの硬質物品と接触させる、とは、該洗浄剤組成物を、意図的に水などで希釈した後、食品に由来する液体油を含有する汚れの付着した食器及び／又は台所周りの硬質物品と接触させないことである。例えば、前記液体洗浄剤組成物を水滴等が付着した食器及び／又は台所周りの硬質物品と接触させたり、前記液体洗浄剤組成物を食器及び／又は台所周りの硬質物品に接触させた後、食器及び／又は台所周りの硬質物品に水滴が付着したりする場合は、前記液体洗浄剤組成物を希釈せずに食品に由来する液体油を含有する汚れが付着した食器及び／又は台所周りの硬質物品と接触させていると理解できる。
放置した後は、硬質物品を水で濯ぐ。濯ぐ際は、手などで外力（物理的力）を掛けてもよく、単に水流で濯いでもよい。
本発明の洗浄方法として、前記液体洗浄剤組成物を、食品に由来する液体油を含有する汚れが付着した食器及び／又は台所周りの硬質物品と泡状にして接触させ、可撓性材料による洗浄、流水による洗浄、及び超音波による洗浄の何れも行わず、機械力などの外力をかけずにそのまま放置する、洗浄方法が挙げられる。つまり、本発明の洗浄方法として、前記液体洗浄剤組成物を、食品に由来する液体油を含有する汚れが付着した食器及び／又は台所周りの硬質物品に泡状にして接触させ、スポンジ等の可撓性材料による摩擦力、自動食器用洗浄機内のシャワー等による流水力、及び超音波による振動の何れも用いることなく、機械力などの外力をかけずにそのまま放置する洗浄方法が挙げられる。
【００７８】
食品に由来する液体油を含有する汚れは、液体油と固体脂とを含む複合汚れであってよい。固体脂は、例えば、常温（例えば２０℃）で固体を呈するものである。前記液体洗浄剤組成物を接触させるときの複合汚れの形態は、液体油と固体脂とが混在した状態であってもよい。本発明の対象とする汚れは、液体油を多く含む油脂汚れであってよい。
【００７９】
本発明では、前記液体洗浄剤組成物の原液をそのまま、つまり組成を変動させることなく、泡状にして食品に由来する液体油を含有する汚れが付着した食器及び／又は台所周りの硬質物品に付着させることが好ましい。例えば、前記液体洗浄剤組成物を、含水したスポンジ等に付着させることなく、泡状にして食品に由来する液体油を含有する汚れが付着した食器及び／又は台所周りの硬質物品に接触させることが好ましい。食器及び／又は台所周りの硬質物品に接触した後は、前記液体洗浄剤組成物の組成が変動してもよい。すなわち、食器及び／又は台所周りの硬質物品に接触した後は、前記液体洗浄剤組成物の組成が希釈又は濃縮されてもよい。
【００８０】
また、本発明の（ａ）成分、（ｂ）成分及び（ｃ）成分を含む濃厚組成物を調製しておき、該濃厚組成物を水で希釈して本発明に用いる液体洗浄剤組成物を調製し、この液体洗浄剤組成物を希釈せずに、食器及び／又は台所周りの硬質物品に泡の状態で接触させてもよい。すなわち、本発明の（ａ）成分、（ｂ）成分及び（ｃ）成分を含有する濃厚組成物を水で希釈して本発明に用いる液体洗浄剤組成物を調製し、該液体洗浄剤組成物を、希釈せずに食品に由来する液体油を含有する汚れが付着した食器及び／又は台所周りの硬質物品と接触させ、機械力などの外力をかけずに洗浄する、食器及び／又は台所周りの硬質物品の洗浄方法であってもよい。
【００８１】
本発明の洗浄方法は、前記液体洗浄剤組成物を、希釈せずに、食品に由来する液体油を含有する汚れが付着した食器及び／又は台所周りの硬質物品に、泡の状態で接触させた後、好ましくは外力をかけず（付与せず）に、放置する。つまり、スポンジ等の可撓性材料や手指等を用いることなく接触させ、機械力などの外力をかけずにそのまま放置する洗浄方法が挙げられる。放置した後は、通常、水で濯ぐ。濯ぐ際は、手などで外力（物理的力）をかけてもよく、単に水流で濯いでもよい。
【００８２】
本発明の洗浄方法では、本発明の液体洗浄剤組成物を、泡比容が２ｍｌ／ｇ以上、好ましくは１０ｍｌ／ｇ以上、より好ましくは２０ｍｌ／ｇ以上、そして、好ましくは１００ｍｌ／ｇ以下、より好ましくは７０ｍｌ／ｇ以下、更に好ましくは６０ｍｌ／ｇ以下の泡の状態で、食品に由来する液体油を含有する汚れが付着した食器及び／又は台所周りの硬質物品に接触させる。泡比容は下式により計算することができる。
泡比容（ｍＬ／ｇ）＝泡の容量（ｍＬ）／泡の質量（ｇ）
【００８３】
本発明の洗浄方法では、前記液体洗浄剤組成物を、対象物である食器及び／又は台所周りの硬質物品の面積１００ｃｍ２に対して、好ましくは０．１ｇ以上、より好ましくは０．３ｇ以上、更に好ましくは０．４ｇ以上、そして、好ましくは５ｇ以下、より好ましくは３ｇ以下、更に好ましくは２ｇ以下の割合で接触させる、更に、泡の状態で、塗布又は噴霧することが好ましい。
【００８４】
本発明の洗浄方法では、洗浄力を高める観点から、前記液体洗浄剤組成物を食器及び／又は台所周りの硬質物品に接触後、好ましくは１０秒以上、より好ましくは２０秒以上、更に好ましくは３０秒以上、より更に好ましくは４０秒以上、より更に好ましくは５０秒以上、より更に好ましくは１分以上、そして、同様の観点から、好ましくは６０分以下、より好ましくは３０分以下、更に好ましくは２０分以下、より更に好ましくは１０分以下、より更に好ましくは５分以下、放置する。この場合、泡の状態の前記組成物が最初に食器及び／又は台所周りの硬質物品に接触した時点を放置の開始としてよい。
なお、放置する際の温度は、室温、例えば、１０℃以上３０℃以下が挙げられる。
【００８５】
本発明の洗浄方法では、スプレー手段を用いて、前記液体洗浄剤組成物を、泡比容が２ｍＬ／ｇ以上の泡の状態として、食品に由来する液体油を含有する汚れが付着した食器及び／又は台所周りの硬質物品に接触させるのが好ましい。スプレー手段から吐出した泡の泡比容が前記範囲であることが好ましい。本発明に用いる液体洗浄剤組成物を、泡形成機構を有するスプレイヤーを具備する容器に充填してなる洗浄剤物品を用いて、前記液体洗浄剤組成物を、泡の状態として、食品に由来する液体油を含有する汚れが付着した食器及び／又は台所周りの硬質物品に接触させるのがより好ましい。本発明は、本発明に用いる前記液体洗浄剤組成物を、泡形成機構を有するスプレイヤーを具備する容器に充填してなる、スプレー容器入り洗浄剤物品を提供する。
【００８６】
前記スプレイヤーを具備する容器は、トリガー式スプレー容器、ポンプ式スプレー容器等の噴射剤を使用しない手動式スプレー装置、噴射剤を用いるエアゾール等が挙げられる。前記スプレイヤーを具備する容器は、内容物を泡状にして噴霧又は塗布することができるトリガー式スプレーが好ましく、泡を形成する機構（泡形成機構）を備えたトリガー式スプレーがより好ましい。
【００８７】
前記スプレー容器入り洗浄剤物品において、泡形成機構を備えたトリガー式スプレーを用いる場合、好ましくはスピンエレメント及び直径４〜８ｍｍの円形状の空間部分に棒状の突起を数個設置された液体通過板を有するものが好適である。ここでスピンエレメントとは、スピンエレメントを通じて液状物の流れにスピンを与え、最後にノズルから噴出する機構であり、その詳細な構造としては特開平８−３３２４２２号公報や特開平８−１０８１０２号公報の図４（ｂ）、特開２００２−６８２６５号公報の図１などを参考にすることができる。
【００８８】
泡形成機構を備えたトリガー式スプレーを用いる場合、前記スプレー容器入り洗浄剤物品は、１回の操作で、好ましくは０．５ｍＬ以上、より好ましくは１ｍＬ以上、そして、好ましくは３０ｍＬ以下、より好ましくは１５ｍＬ以下、更に好ましくは５ｍＬ以下の組成物を噴霧する。
【００８９】
泡形成機構のもう一つの部材である液体通過板は、直径５〜７ｍｍの円形状の空間部分に棒状の突起を好ましくは３〜８個設置されたものであり、通過する板を平面で見た場合に、好ましくは幅０．８〜１．２ｍｍ、長さ２〜４ｍｍの長方形状の棒状の突起が好適である。また、棒状の突起を除いた空間部分に対する棒状の突起の占める面積は、好ましくは３０面積％以上、より好ましくは４０面積％以上、そして、好ましくは９０面積％以下、より好ましくは８０面積％以下、更に好ましくは７０面積％以下であり、このような液体通過板を設置することで、垂直表面への泡の付着滞留性が良好になる。
【００９０】
前記スプレー容器入り洗浄剤物品の容器は、一般に使用されている容器を用いることができる。例えば、ポリエチレンやポリプロピレン、ポリエチレンテレフタレートを原料として得られるものであり、ブロー成形などによって製造することができる。容器の肉厚は底面と側面と異なってもよく、０．０１〜２ｍｍが好ましく、容器の容量は１００〜１０００ｍＬが好ましい。容器に充填される液体洗浄剤組成物の量は、取り扱い上、２００〜５００ｍＬが望ましい。また液の充填は、常識的な空隙を残して行われる。
【００９１】
本発明の洗浄方法は、食器及び／又は台所周りの硬質物品、好ましくは食器を洗浄対象とする。
台所周りの硬質物品は、台所の周辺で使用される物品であり、具体的には、
（１）冷蔵庫、食器棚などの食品、食器、調理器具の保存場所、
（２）排水溝、調理台、レンジフード、シンク、ガスレンジ、電子レンジなどの食品の調理場所、及び
（３）前記保存場所や前記調理場所の周辺の床や壁等
である。本発明では、これらを便宜上「台所周りの硬質物品」とする。
また、食器としては、具体的には、
（ｉ）皿、椀等のいわゆる食器、
（ii）タッパー、瓶等の保存容器、
（iii）包丁やまな板、鍋、フライパン、魚焼きグリル等の調理器具、
（iv）フードプロセッサー、ミキサー等の調理家電等
の食材が接触する部材や器具が挙げられる。本発明では、これらを便宜上「食器」とする。
また、本発明の洗浄方法は、食器、保存容器、調理器具、及び調理家電から選ばれる物品を対象とすることが好ましく、更に皿、椀、タッパー、ビン、包丁、まな板、鍋、フライパン、魚焼きグリル、フードプロセッサー、及びミキサーから選ばれる物品を対象とすることがより好ましい。
【００９２】
本発明の洗浄方法の対象とする食器及び／又は台所周りの硬質物品の材質は、プラスチック（シリコーン樹脂などを含む）、金属、陶器、木、及びそれらの組み合わせが挙げられる。そして、本発明の洗浄方法は、これら食器及び／又は台所周りの硬質物品に付着した食品に由来する液体油を含有する汚れを効果的に洗浄することができる。
【００９３】
前述の通り、プラスチックなどの疎水性材料に付着した液体油は落とし難い汚れであるが、本発明では、プラスチック製の食器及び／又は台所周りの硬質物品に付着した液体油に対しても、優れた洗浄効果を示す。本発明は、プラスチック製の食器及び／又は台所周りの硬質物品の洗浄方法として好適である。プラスチックは、ポリプロピレン、ポリエチレンなどのポリオレフィン、ポリメタクリレート、ポリカーボネート、ＡＢＳ樹脂、ポリエチレンテレフタラートなどが挙げられる。
【００９４】
本発明の洗浄方法では、好ましくは本発明に用いる液体洗浄剤組成物を、希釈せずに泡比容が２ｍＬ／ｇ以上の泡の状態で、直接食器及び／又は台所周りの硬質物品に接触させる。そして、前記組成物が接触した状態で放置すればよいため、洗浄時において、スポンジ等の可撓性材料による擦り洗いのような外力をかける作業を必ずしも要しない。
そのため、本発明の洗浄方法は、
（１）食品製造機器、冷蔵庫、食器棚などのパイプ、部品及び排水溝、水筒、タンブラー、やかん、ポット等の手洗い洗浄が不便な物品、
（２）食品、食器、調理器具の保存場所、調理台、レンジフード、シンク、ガスレンジ、電子レンジなどの食品の調理場所及びその周辺の床や壁等の台所周り等の食品に由来する液体油を含有する汚れが広範に及ぶ硬質表面を有する物品、
（３）包丁、ピーラー、おろし金、スライサー、ジューサーの羽根、フードプロセッサーの羽根等の手洗い洗浄に危険が伴う物品、
（４）形状が複雑な部分を具備する物品
といった、スポンジ等の可撓性材料を用いた洗浄が困難な物品等にも適用することができる。尚、本発明では、機械力などの外力をかけずに食器及び／又は台所周りの硬質物品を洗浄した後、必要により、擦り洗いを行ってもよい。
更に、本発明の洗浄方法は、泡状の前記液体洗浄剤組成物を食器及び／又は台所周りの硬質物品に塗布してそのまま放置するため、食器及び／又は台所周りの硬質物品に前記組成物を長く留めることができる。
【００９５】
本発明の洗浄方法は、前記液体洗浄剤組成物を接触させた食器及び／又は台所周りの硬質物品を、水で濯ぐ工程、好ましくは前記液体洗浄剤組成物を接触させた食器及び／又は台所周りの硬質物品を、放置後、水で濯ぐ工程を含む。
【００９６】
＜泡塗布用液体洗浄剤組成物＞
本発明は、（ａ）成分を０．５質量％以上１０質量％以下、（ｂ）成分を酵素たんぱく質として０．１ｐｐｍ以上１０００ｐｐｍ以下、（ｃ）成分及び水を含有し、（ａ）成分として（ａ１）成分を含有し、（ａ）成分の含有量と（ａ１）成分の含有量との質量比である（ａ１）／（ａ）が０．５以上１．０以下である、泡塗布用液体洗浄剤組成物に関する。本発明の洗浄方法で述べた本発明の液体洗浄剤組成物は、本発明の泡塗布用液体洗浄剤組成物であってよい。
【００９７】
本発明の泡塗布用液体洗浄剤組成物における（ａ）成分、（ｂ）成分、（ｃ）成分の具体例及び好ましい例などは、本発明の液体洗浄剤組成物と同じである。本発明の液体洗浄剤組成物で述べた事項は、本発明の泡塗布用液体洗浄剤組成物に適用することができる。
【００９８】
本発明の泡塗布用液体洗浄剤組成物は、好ましくは泡比容が２ｍＬ／ｇ以上の泡の状態で用いられる。
本発明の泡塗布用液体洗浄剤組成物は、好ましくは食器及び／又は台所周りの硬質物品用である。
【００９９】
本発明の泡塗布用液体洗浄剤組成物として、
（ａ）成分を０．５質量％以上１０質量％以下、（ｂ）成分を酵素たんぱく質として０．１ｐｐｍ以上１０００ｐｐｍ以下、（ｃ）成分及び水を含有し、
（ａ）成分として（ａ１）成分を含有し、
（ａ）成分の含有量と（ａ１）成分の含有量との質量比である（ａ１）／（ａ）が０．５以上１．０以下であり、
（ａ１）成分として、（ａ１１）ＨＬＢが１０．５以下の非イオン界面活性剤（ただし（ａ１２）成分を除く）［以下（ａ１１）成分という］、及び（ａ１２）炭素数８以上１８以下のアルキル基を有し、糖、例えばグルコースの平均縮合度が１以上３以下であるアルキルグリコシド型非イオン界面活性剤［以下（ａ１２）成分という］を含有し、
（ａ）成分の含有量と（ａ１１）成分の含有量との質量比である（ａ１）／（ａ）が０．３以上０．９５以下であり、
（ａ１１）成分の含有量に対する（ｃ）成分の含有量の質量比である（ｃ）／（ａ１１）が２以上８以下であり、
２０℃における粘度が２０ｍＰａ・ｓ以下である、
泡塗布用液体洗浄剤組成物（Ｉ）が挙げられる。本発明の洗浄方法で述べた本発明の液体洗浄剤組成物（Ｉ）は、本発明の泡塗布用液体洗浄剤組成物（Ｉ）であってよい。
【０１００】
本発明の泡塗布用液体洗浄剤組成物（Ｉ）における（ａ１１）成分、（ａ１２）成分の具体例及び好ましい例などは、本発明の液体洗浄剤組成物（Ｉ）と同じである。本発明の液体洗浄剤組成物（Ｉ）で述べた事項は、本発明の泡塗布用液体洗浄剤組成物（Ｉ）に適用することができる。
【実施例】
【０１０１】
下記配合成分を用いて、表に示す液体洗浄剤組成物を調製し、下記の方法で泡比容、洗浄力、及び保存安定性を評価した。結果を表に示す。なお、表に示す液体洗浄剤組成物は、クエン酸と４８％ＮａＯＨ水溶液により、ｐＨ７（２０℃）に調整した。また、表中の配合成分の質量％は、全て有効分に基づく数値である。
【０１０２】
＜（ａ）成分＞
（ａ１）成分
・非イオン界面活性剤（１）：プランタケア２０００ＵＰ、ＢＡＳＦ、デシルグルコシド〔（ａ１−１）成分及び（ａ１２）成分に該当〕
・非イオン界面活性剤（２）：アンヒトール２０Ｎ、花王株式会社、ラウリルジメチルアミンオキサイド〔（ａ１−２）成分に該当〕
・非イオン界面活性剤（３−１）：ソフタノール９０、株式会社日本触媒、セカンダリーアルコールエトキシレート、エトキシレート平均付加モル数９．０〔（ａ１−３）成分に該当〕ＨＬＢ１３．３
・非イオン界面活性剤（３−２）：ソフタノール３３、株式会社日本触媒、セカンダリーアルコールエトキシレート、エトキシレート平均付加モル数３．３モル〔（ａ１−３）成分及び（ａ１１−２）成分に該当〕ＨＬＢ８．６
・非イオン界面活性剤（４）：ペネトールＧＥ−ＥＨ、花王株式会社、２−エチルヘキシルグリセリルエーテル〔（ａ１−４）成分及び（ａ１１−１）成分に該当〕、ＨＬＢ７．４
・非イオン界面活性剤（５）：エマルゲン１０９Ｐ、花王株式会社、ポリオキシエチレンラウリルエーテル、エトキシレート平均付加モル数９．０モル〔その他の（ａ１）成分〕ＨＬＢ１３．６、
・非イオン界面活性剤（６）：アミノーンＰＫ−０２Ｓ、花王株式会社、パーム核油脂肪酸ジエタノールアミド（ＨＬＢ５．５、ＨＬＢは前記実験方法で求めた値である）〔（ａ１１−４）成分に該当〕
・非イオン界面活性剤（７）：アミート１０２、花王株式会社、Ｎ−ラウリル−Ｎ，Ｎ−ジエタノールアミン（ＨＬＢ６．３、ＨＬＢは前記実験方法で求めた値である）〔（ａ１１−５）成分に該当〕
・非イオン界面活性剤（８）：エマゾールＬ−１０Ｖ、花王株式会社、ソルビタンモノラウレート（ＨＬＢ８．６）〔（ａ１１−３）成分に該当〕
（ａ２）成分
・両性界面活性剤（１）：アンヒトール２０ＨＤ、花王株式会社、Ｎ−ラウリル−Ｎ，Ｎ−ジメチル−Ｎ−［２−ヒドロキシ−３−スルホプロピル］スルホベタイン
（ａ３）成分
・陰イオン界面活性剤（１）：ラウリル硫酸ナトリウム、和光純薬工業株式会社、試薬
・陰イオン界面活性剤（２）：Hostapur SAS 60、クラリアント社、ｓｅｃ−アルキル（Ｃ１４−１７）スルホン酸ナトリウム
【０１０３】
＜（ｂ）成分＞
・リパーゼ：Lipex Prime 100L、ノボザイムズ社
・プロテアーゼ：ＫＡＰ ８．０ Ｌ−Ｑ（１９５Ｑ）、花王株式会社
・アミラーゼ：ターマミルウルトラ３００Ｌ、ノボザイムズ社
【０１０４】
＜（ｃ）成分＞
・水溶性溶剤（１）：ジエチレングリコールモノブチルエーテル、ＢＤＧ−ＮＳ、日本乳化剤株式会社、ＣｌｏｇＰｏｗ０．６６
・水溶性溶剤（２）：ジプロピレングリコールモノブチルエーテル、ＤＰＮＢ、日本乳化剤株式会社、ＣｌｏｇＰｏｗ０．０７
・水溶性溶剤（３）：エタノール、日本合成アルコール株式会社、ＣｌｏｇＰｏｗ０．９２
・水溶性溶剤（４）：プロピレングリコール、ＣｌｏｇＰｏｗ−１．１
【０１０５】
（１）泡比容
液体洗浄剤組成物を、トリガー式スプレー容器（キュキュットクリア泡スプレー、花王（株）製）に充填し、２００ｍＬメスシリンダー（内径４０ｍｍ）内に３〜１０回スプレーした。スプレー後の２００ｍＬメスシリンダー質量を、４桁天秤を用いて測定し、スプレー前のメスシリンダーの質量との差を、泡塗布量（ｇ）とした（ａ）。吐出直後のメスシリンダー内の泡の容量（ｍＬ）を目視で読み取った。吐出直後の泡の容量（ｍＬ）を（ｂ）とした。以下の式で泡比容を算出した。泡比容が大きいほど、泡吐出性に優れる。
泡比容（ｍＬ／ｇ）＝（ｂ）／（ａ）
【０１０６】
（２）洗浄力
７５ｍｍ（横）×１００ｍｍ（縦）×１ｍｍ（厚み）のポリプロピレン試験片の質量を４桁天秤で測定した（ｘ）。前記ポリプロピレン試験片の片面に、菜種油と牛脂の質量比が９／１である汚れの塗付量が０．０８〜０．１２ｇとなるように均一に塗布したものを作成し、汚れピースとした。同汚れピースの質量を４桁天秤で測定した（ｙ）。
液体洗浄剤組成物をトリガー式スプレー容器（キュキュットクリア泡スプレー、花王（株）製）に充填し、汚れピースに５回スプレーした。組成物は泡状で吐出した。組成物の吐出量は合計で約３ｇであった。
吐出した泡と汚れピースを１分間接触させた後、１５秒間水道水で流水すすぎを行った。この時、汚れピースの汚れを付着させた部分は全て泡と接触させた。この条件では、液体洗浄剤組成物は、表に示す泡比容に近時する泡の状態で接触されていた。また、流水すすぎの条件は、水道水の温度は２５℃、流速は約４Ｌ／ｍｉｎ、蛇口の開口部の直径は約１５ｍｍであった。開口部から５ｃｍ垂直下に位置する汚れピースに落下してくる水道水に対して汚れピースを４５°になるように持ち、その角度を固定したまま汚れピースの汚れを付着させていない上端部分で流水を受け、汚れピース上を流れる水道水で洗浄部分片面全体をすすいだ。すすぎ終了後、汚れピースを乾燥させた後、４桁天秤で質量を測定した（ｚ）。以下の式で洗浄率を求めた。洗浄率の数値は大きい方が好ましい。
洗浄率（％）＝｛（ｙ）−（ｚ）｝／｛（ｙ）−（ｘ）｝×１００
【０１０７】
（３）保存安定性
液体洗浄剤組成物を作製した後、５℃に保管した。目視観察で、外観が透明溶解している状態を保持できた日数を記録した。分離、白濁等の外観に明らかな変化が認められた時点で、保存安定性は不可、すなわち外観が透明溶解している状態を保持できないとした。
【０１０８】
【表１】
2020100693.tif 000002
【０１０９】
【表２】
2020100693.tif 000003
【０１１０】
【表３】
2020100693.tif 000004
【０１１１】
【表４】
2020100693.tif 000005
【０１１２】
＊１  非イオン界面活性剤（１）は、（ａ１２）成分に相当する。
＊２  非イオン界面活性剤（３−２）は、（ａ１１−２）成分に相当する。
＊３  非イオン界面活性剤（６）は、（ａ１１−４）成分に相当する。
＊４  非イオン界面活性剤（７）は、（ａ１１−５）成分に相当する。
＊５  非イオン界面活性剤（８）は、（ａ１１−３）成分に相当する。